(57)【要約】      （修正有）【課題】肩にかかる負担を軽減させ、かつ、鞄の水平方向の揺れを抑えた肩掛け用ストラップ及び鞄を提供する。【解決手段】肩掛け用ストラップ２は、棒状又はコイル状の弾性体と、前記弾性体を覆うカバーと、からなる緩衝体１と、肩掛け部２１と、吊り部２２と、フック２３と、を備えており、前記肩掛け部２１の両端に前記緩衝体１を一個ずつ又は複数個ずつ設け、前記緩衝体１の他端に前記吊り部２２を設け、前記吊り部２２の他端に前記フック２３を設け、前記緩衝体１が前記肩掛け部２１の長さ方向に伸縮するようにした。肩掛部２１は伸縮せず安定しているので肩に均等に力が加わり負担が軽減する。また緩衝体１は水平方向には伸縮しないので揺れを抑えることができる。【選択図】図８
0003184229.tif 000002
【実用新案登録請求の範囲】
【請求項１】
棒状又はコイル状の弾性体と、前記弾性体を覆うカバーと、からなる緩衝体と、肩掛け部と、吊り部と、フックと、を備え、前記肩掛け部の両端に前記緩衝体を一個ずつ又は複数個ずつ設け、前記緩衝体の他端に前記吊り部を設け、前記吊り部の他端に前記フックを設け、前記緩衝体が前記肩掛け部の長さ方向に伸縮するようにしたことを特徴とする肩掛け用ストラップ。
【請求項２】
棒状又はコイル状の弾性体と、前記弾性体を覆うカバーと、からなる緩衝体と、持ち手又は肩掛け用ストラップと、胴部と、を備え、前記持ち手又は前記肩掛け用ストラップの両端部に前記緩衝体を一個ずつ又は複数個ずつ設け、前記持ち手又は前記肩掛け用ストラップを前記胴部に設け、前記緩衝体が前記持ち手又は前記肩掛け用ストラップの長さ方向に伸縮するようにしたことを特徴とする鞄。
【請求項３】
複数の弾性体と、前記弾性体を束ねて覆う被覆体と、前記被覆体を覆うカバーと、からなる緩衝体と、肩掛け部と、吊り部と、フックと、を備え、前記弾性体は棒状又はコイル状であって、前記肩掛け部の両端に前記緩衝体を一個ずつ又は複数個ずつ設け、前記緩衝体の他端に前記吊り部を設け、前記吊り部の他端に前記フックを設け、前記緩衝体が前記肩掛け部の長さ方向に伸縮するようにしたことを特徴とする肩掛け用ストラップ。
【請求項４】
複数の弾性体と、前記弾性体を束ねて覆う被覆体と、前記被覆体を覆うカバーと、からなる緩衝体と、持ち手又は肩掛け用ストラップと、胴部と、を備え、前記弾性体は棒状又はコイル状であって、前記被覆体は前記弾性体を密着させて被覆し、前記持ち手又は前記肩掛け用ストラップの両端部に前記緩衝体を一個ずつ又は複数個ずつ設け、前記持ち手又は前記肩掛け用ストラップを前記胴部に設け、前記緩衝体が前記持ち手又は前記肩掛け用ストラップの長さ方向に伸縮するようにしたことを特徴とする鞄。
【考案の詳細な説明】
【技術分野】
【０００１】
本考案は、肩掛け用ストラップ及び鞄に関するものである。
【背景技術】
【０００２】
従来から、肩にかかる負担を軽減させた、様々な肩掛け用ストラップが開発されている。例えば、スポンジゴムを用いた肩掛け用ストラップ（特許文献１）、ゴルフバッグ用肩掛けベルト（特許文献２）、キャディバッグ用ショルダーベルト（特許文献３）等が開発されている。
【先行技術文献】
【特許文献】
【０００３】
【特許文献１】実用新案登録第３０９９１０４号明細書
【特許文献２】特開平８−８９６０８号公報
【特許文献３】実用新案登録第３０２８５３３号明細書
【考案の概要】
【考案が解決しようとする課題】
【０００４】
しかしながら、肩掛け用ストラップ（実用新案登録第３０９９１０４号）では、肩掛け部が伸縮してしまうため、肩に均等に力が加わらず、かえって肩に負担がかかってしまう場合がある。また、ゴルフバッグ用肩掛けベルト（特開平８−８９６０８）、キャディバッグ用ショルダーベルト（実用新案登録第３０２８５３３号）では、緩衝体又は伸縮部が長い帯状であり、バッグを肩に掛けた際に水平方向の力がバッグに加わった場合には前記緩衝体又は前記伸縮部が水平方向にも伸縮してしまうため、バッグが水平方向に大きく揺れてしまう場合がある。そこで、肩にかかる負担を効果的に軽減させ、かつ、鞄等の水平方向の揺れを抑えた肩掛け用ストラップ及び該肩掛け用ストラップを備えた鞄を提供することを課題とする。
【０００５】
また、鞄を手で持つ際に手及び腕等にかかる負担を軽減させた鞄を提供することも課題とする。
【課題を解決するための手段】
【０００６】
上記課題を解決するため、本考案は次のような構成を有する。請求項1に記載の考案は、棒状又はコイル状の弾性体と、前記弾性体を覆うカバーと、からなる緩衝体と、肩掛け部と、吊り部と、フックと、を備え、前記肩掛け部の両端に前記緩衝体を一個ずつ又は複数個ずつ設け、前記緩衝体の他端に前記吊り部を設け、前記吊り部の他端に前記フックを設け、前記緩衝体が前記肩掛け部の長さ方向に伸縮するようにしたことを特徴とする肩掛け用ストラップである。
【０００７】
請求項２に記載の考案は、棒状又はコイル状の弾性体と、前記弾性体を覆うカバーと、からなる緩衝体と、持ち手又は肩掛け用ストラップと、胴部と、を備え、前記持ち手又は前記肩掛け用ストラップの両端部に前記緩衝体を一個ずつ又は複数個ずつ設け、前記持ち手又は前記肩掛け用ストラップを前記胴部に設け、前記緩衝体が前記持ち手又は前記肩掛け用ストラップの長さ方向に伸縮するようにしたことを特徴とする鞄である。
【０００８】
請求項３に記載の考案は、複数の弾性体と、前記弾性体を束ねて覆う被覆体と、前記被覆体を覆うカバーと、からなる緩衝体と、肩掛け部と、吊り部と、フックと、を備え、前記弾性体は棒状又はコイル状であって、前記肩掛け部の両端に前記緩衝体を一個ずつ又は複数個ずつ設け、前記緩衝体の他端に前記吊り部を設け、前記吊り部の他端に前記フックを設け、前記緩衝体が前記肩掛け部の長さ方向に伸縮するようにしたことを特徴とする肩掛け用ストラップである。
【０００９】
請求項４に記載の考案は、複数の弾性体と、前記弾性体を束ねて覆う被覆体と、前記被覆体を覆うカバーと、からなる緩衝体と、持ち手又は肩掛け用ストラップと、胴部と、を備え、前記弾性体は棒状又はコイル状であって、前記被覆体は前記弾性体を密着させて被覆し、前記持ち手又は前記肩掛け用ストラップの両端部に前記緩衝体を一個ずつ又は複数個ずつ設け、前記持ち手又は前記肩掛け用ストラップを前記胴部に設け、前記緩衝体が前記持ち手又は前記肩掛け用ストラップの長さ方向に伸縮するようにしたことを特徴とする鞄である。
【考案の効果】
【００１０】
本考案の肩掛け用ストラップは、棒状又はコイル状の弾性体を備えた緩衝体を設けたため、前記緩衝体が伸び縮みすることにより肩にかかる負担を軽減することができる。また、前記緩衝体を前記肩掛け用ストラップの肩掛け部の両端に設けたため、前記肩掛け部は伸縮せずに安定しており、その結果、肩に均等に力が加わり、肩にかかる負担を効果的に軽減することができる。さらに、前記緩衝体を一個ずつ又は複数個ずつ設け、前記緩衝体が前記肩掛け部の長さ方向に伸縮するようにしたため、前記肩掛け用ストラップを取り付けた鞄等を肩に掛けた際に、水平方向の力が前記鞄等に加わった場合には、前記緩衝体は水平方向にはあまり伸縮せず、前記鞄等の水平方向の揺れを抑えることができる。
【００１１】
また、本考案の鞄は、棒状又はコイル状の弾性体を備えた緩衝体を設けたため、前記緩衝体が伸び縮みすることにより手及び腕等又は肩にかかる負担を軽減することができる。また、前記緩衝体を前記鞄の持ち手又は肩掛け用ストラップの両端部に設けたため、前記持ち手の手で持つ部分又は前記肩掛け用ストラップの肩に掛ける部分は伸縮せずに安定しており、その結果、手又は肩に均等に力が加わり、手及び腕等又は肩にかかる負担を効果的に軽減することができる。さらに、前記緩衝体を一個ずつ又は複数個ずつ設け、前記緩衝体が前記持ち手又は前記肩掛け用ストラップの長さ方向に伸縮するようにしたため、前記鞄を持った際に水平方向の力が鞄に加わった場合には、前記緩衝体は水平方向にはあまり伸縮せず、鞄の水平方向の揺れを抑えることができる。
【図面の簡単な説明】
【００１２】
【図１】緩衝体１の斜視図。
【図２】棒状の弾性体１１を複数備えた緩衝体１の斜視図。
【図３】緩衝体１を両端部に設けた肩掛け用ストラップ２の端部を拡大した平面図。
【図４】緩衝体１を両端部に設けた肩掛け用ストラップ２の平面図。
【図５】緩衝体１を両端部に二個ずつ設けた肩掛け用ストラップ２の端部を拡大した平面図。
【図６】緩衝体１を持ち手３３の両端部に設けた鞄３の正面図。
【図７】緩衝体１を肩掛け用ストラップ３４の両端部に設けた鞄３の斜視図。
【図８】緩衝体１を両端部に設けた肩掛け用ストラップ２の平面図。（実施例１）
【図９】緩衝体１を持ち手３３の両端部に設けた鞄３の正面図。（実施例２）
【考案を実施するための形態】
【００１３】
以下、本考案を実施するための形態を、図面を参照しながら説明する。
【００１４】
まず、本考案で最も重要な緩衝体１について説明する。図１は、緩衝体１の斜視図である。前記緩衝体１は、弾性体１１と、カバー１３と、からなる。前記弾性体１１の形状は、図１では円柱状であるが、楕円柱状や角柱状、コイル状等でも良い。前記カバー１３は、前記弾性体１１を保護するためのものである。伸びた状態の前記弾性体１１に合わせて、前記カバー１３の長さを調整する。図１は、前記弾性体１１が最も縮んだ状態であり、前記カバー１３は蛇腹構造となっている。なお、前記カバー１３は伸縮性があるものであってもよい。
【００１５】
上記緩衝体１とは異なる種類の緩衝体１について説明する。図２は、棒状の弾性体１１を複数備えた緩衝体１の斜視図である。前記緩衝体１は、複数の弾性体１１と、被覆体１２と、カバー１３と、からなる。前記弾性体１１の形状は、図２では円柱状であるが、棒状であれば楕円柱状や角柱状、コイル状等でも良い。前記被覆体１２は、複数の前記弾性体１１を束ねて密着させて覆うためのものであり、前記弾性体１１の伸縮に合わせて伸び縮みするものである。前記カバー１３は、前記弾性体１１及び前記被覆体１２を保護するためのものである。伸びた状態の前記弾性体１１及び前記被覆体１２に合わせて、前記カバー１３の長さを調整する。図２は、前記弾性体１１及び前記被覆体１２が最も縮んだ状態であり、前記カバー１３は蛇腹構造となっている。なお、前記カバー１３は伸縮性があるものであってもよい。
【００１６】
次に、上記緩衝体１を設けた肩掛け用ストラップについて説明する。以下、緩衝体１は、上記二種類のどちらの緩衝体１であってもよい。図３は、緩衝体１を両端部に設けた肩掛け用ストラップ２の端部を拡大した平面図である。前記肩掛け用ストラップ２は、緩衝体１と、接合部材１４と、肩掛け部２１と、吊り部２２と、フック２３と、からなる。前記接合部材１４を用いて、前記肩掛け部２１の両端に前記緩衝体１を設ける。図３の前記接合部材１４の内側にある破線は縫い目を表している。図３における前記接合部材１４による接合方法は縫合であるが、前記緩衝体１と前記肩掛け部２１又は前記吊り部２２を接合できればどのような方法であってもよい。したがって、前記接合部材１４は、図３の形状に限定されず、ボルトとナット等のようなものであってもよい。また、複数ある前記接合部材１４の形状は、全て同一である必要はなく、互いに異なっていてもよい。前記肩掛け部２１及び前記吊り部２２は、伸縮性が低い部材で構成されることが望ましい。前記吊り部２２は、前記緩衝体１と前記フック２３を接合できればどのような形状であってもよい。前記フック２３は、鞄に取り付けられるのであればどのような形状であってもよい。図４は、前記肩掛け用ストラップ２の平面図である。前記肩掛け部２１の形状は、使用する人の肩幅や取り付ける鞄やカメラ等の重さによって調整する。前記肩掛け部２１に、コキ等を設けて長さを調節できるようにしてもよい。前記肩掛け部２１に、肩当てパッドを設けてもよい。前記肩掛け用ストラップ２を取り付けた鞄等を、肩に掛けて持ち歩く場合、前記鞄等の重さ及び上下方向の運動に応じて前記緩衝体１が伸び縮みすることにより、肩にかかる負担が軽減する。また、前記緩衝体１を前記肩掛け用ストラップ２の肩掛け部２１の両端に設けたため、前記肩掛け部２１は伸縮せずに安定しており、その結果、前記鞄等を肩に掛けた際に肩に均等に力が加わり、肩にかかる負担を効果的に軽減することができる。さらに、水平方向の力が前記鞄等に加わった場合には、前記緩衝体は水平方向に伸縮せず、前記鞄等の水平方向の揺れを抑えることができる。
【００１７】
図５は、緩衝体１を両端部に二個ずつ設けた肩掛け用ストラップ２の端部を拡大した平面図である。図３と異なる点は、緩衝体１が二個設けられている点である。前記緩衝体１は一個、二個に限らず、三個以上設けてもよい。前記緩衝体１の個数は、取り付ける鞄等の重さ及び大きさ等によって調整する。接合部材１４は、複数の前記緩衝体１をまとめて接合するものであってもよい。
【００１８】
次に、上記緩衝体１を持ち手に設けた鞄について説明する。図６は、緩衝体１を持ち手３３の両端部に設けた鞄３の正面図である。前記鞄３は、緩衝体１と、接合部材１４と、胴部３１と、接合部材３２と、持ち手３３と、からなる。前記接合部材１４を用いて、前記持ち手３３の両端部に前記緩衝体１を設ける。前記緩衝体１の個数は、荷物を入れた前記鞄３の重さ及び大きさ等によって調整する。図６の前記接合部材１４の内側にある破線は縫い目を表している。図６における前記接合部材１４による接合方法は縫合であるが、前記緩衝体１を接合できればどのような方法であってもよい。したがって、前記接合部材１４は、図６の形状に限定されず、ボルトとナット等のようなものであってもよい。また、複数ある前記接合部材１４の形状は、全て同一である必要はなく、互いに異なっていてもよい。前記胴部３１の形状は、前記鞄３が鞄としての機能を発揮できるのであればどんな形状であってもよい。例えば、ダレスバッグ又はボストンバッグのような形状でもよい。前記接合部材３２は、前記緩衝体１及び前記接合部材１４と、前記胴部３１とを接合できればどのようなものであってもよい。また、前記鞄３に肩掛け用ストラップを設けてもよい。前記鞄３を、手で持ち歩く場合、前記鞄の重さ及び上下方向の運動に応じて前記緩衝体１が伸び縮みすることにより、手及び腕等にかかる負担が軽減する。また、前記緩衝体１を前記持ち手３３の両端部に設けたため、前記持ち手３３の手で持つ部分は伸縮せずに安定しており、その結果、前記鞄を手に持った際に手に均等に力が加わり、手及び腕等にかかる負担を効果的に軽減することができる。さらに、水平方向の力が前記鞄等に加わった場合には、前記緩衝体は水平方向に伸縮せず、前記鞄等の水平方向の揺れを抑えることができる
【００１９】
次に、上記緩衝体１を肩掛け用ストラップに設けた鞄について説明する。図７は、緩衝体１を肩掛け用ストラップ３４の両端部に設けた鞄３の斜視図である。前記鞄３は、緩衝体１と、接合部材１４と、胴部３１と、接合部材３２と、肩掛け用ストラップ３４と、からなる。前記接合部材１４を用いて、前記肩掛け用ストラップ３４の両端に前記緩衝体１を設ける。前記緩衝体１の個数は、荷物を入れた前記鞄３の重さ及び大きさ等によって調整する。前記肩掛けストラップ３４に肩当てパッドを設けてもよい。図７の前記接合部材１４の内側にある破線は縫い目を表している。図７における前記接合部材１４による接合方法は縫合であるが、前記緩衝体１を接合できればどのような方法であってもよい。したがって、前記接合部材１４は、図７の形状に限定されず、ボルトとナット等のようなものであってもよい。また、複数ある前記接合部材１４の形状は、全て同一である必要はなく、互いに異なっていてもよい。前記胴部３１の形状は、図７においては上方が開口した有底略四角筒状であるが、前記鞄３が鞄としての機能を発揮できるのであればどんな形状であってもよい。例えば、カメラケース又はキャディバッグのような形状でもよい。前記胴部３１の上部に天マチ又はかぶせ等を設けてもよい。前記接合部材３２は、前記緩衝体１及び前記接合部材１４と、前記胴部３１とを接合できればどのようなものであってもよい。また、前記鞄３に持ち手を設けてもよい。
【実施例１】
【００２０】
本考案の肩掛け用ストラップ２の一実施例を図８に示す。緩衝体１は、三十本の弾性体１１と、被覆体１２と、カバー１３と、からなる。前記弾性体１１は、長さ３ cm、直径1 mmの円柱状の生ゴムでできている。前記被覆体１２は、ポリプロピレン繊維を編んだものである。前記カバー１３は、ナイロン繊維を編んだものである。肩掛け部２１に、長さを調節するためのコキ２４を設けている。前記弾性体１１の長さが前記肩掛け部２１と比較して非常に短いため、前記肩掛け部２１の安定性が高く、肩に均等に力が加わり、肩にかかる負担をより効果的に軽減することができる。
【実施例２】
【００２１】
本考案の鞄３の一実施例を図９に示す。緩衝体１は、三十本の弾性体１１と、被覆体１２と、カバー１３と、からなる。前記弾性体１１は、長さ３ cm、直径1 mmの円柱状の生ゴムでできている。前記被覆体１２は、ポリプロピレン繊維を編んだものである。前記カバー１３は、ナイロン繊維を編んだものである。持ち手３３に、持ち手を束ねるためのカバー３５を設けている。
【符号の説明】
【００２２】
１    緩衝体
１１  弾性体
１２  被覆体
１３  カバー
１４  接合部材
２    肩掛け用ストラップ
２１  肩掛け部
２２  吊り部
２３  フック
２４  コキ
３    鞄
３１  胴部
３２  接合部材
３３  持ち手
３４  肩掛け用ストラップ
３５  カバー
【図１】
0003184229.tif 000003
【図２】
0003184229.tif 000004
【図３】
0003184229.tif 000005
【図４】
0003184229.tif 000006
【図５】
0003184229.tif 000007
【図６】
0003184229.tif 000008
【図７】
0003184229.tif 000009
【図８】
0003184229.tif 000010
【図９】
0003184229.tif 000011